(57)【特許請求の範囲】
【請求項１】
文字板と、
前記文字板の外周縁を囲むケースと、
前記文字板の外周の一部又は全周を囲い、前記文字板に対して表側に起立するような状態で前記ケースに組付けられる見返板と、
Ｃ字状又はリング状の形状を有するとともに前記文字板の外周縁に固定される連結部と、前記連結部の周方向における複数のそれぞれの位置から前記文字板に対して表側に起立して延びて前記文字板と前記見返板との間に位置する目盛部と、前記連結部の周方向における前記目盛部に対応するそれぞれの位置から前記文字板に対して裏側に起立して延びて前記文字板の外周縁と前記ケースとの間隙に設置される基端部と、を有するライトガイド部材と、
前記基端部の基端面に向けて照明光を入射する光源と、
を備えたことを特徴とするメータ装置の照明構造。
【請求項２】
前記目盛部の先端、及び該目盛部の先端に当接する前記見返板には、互いに嵌合する段部が形成されている、
ことを特徴とする請求項１に記載のメータ装置の照明構造。
【請求項３】
文字板と、
前記文字板の外周縁を囲むケースと、
前記文字板の外周の一部又は全周を囲い、前記文字板に対して起立するような状態で前記ケースに組付けられる見返板と、
前記文字板の外周縁と前記ケースとの間隙に設置される基端部と、前記文字板に対して起立するように当該基端部から前記見返板に向けて突設されるとともに前記文字板と前記見返板との間に位置する目盛部と、隣り合う当該目盛部を連結する連結部と、を有するライトガイド部材と、
前記基端部の基端面に向けて照明光を入射する光源と、
を備え、
前記目盛部の先端、及び該目盛部の先端に当接する前記見返板には、凹部で凸部を噛みこんで嵌合する鉤状部がそれぞれ形成されている、
ことを特徴とするメータ装置の照明構造。
【請求項４】
文字板と、
前記文字板の外周縁を囲むケースと、
前記文字板の外周の一部又は全周を囲い、前記文字板に対して起立するような状態で前記ケースに組付けられる見返板と、
前記文字板の外周縁と前記ケースとの間隙に設置される基端部と、前記文字板に対して起立するように当該基端部から前記見返板に向けて突設されるとともに前記文字板と前記見返板との間に位置する目盛部と、隣り合う当該目盛部を連結する連結部と、を有するライトガイド部材と、
前記基端部の基端面に向けて照明光を入射する光源と、
を備え、
前記目盛部の先端、及び該目盛部の先端に当接する前記見返板には、凹部で凸部を密着状態に噛みこんで嵌合する楔状部がそれぞれ形成され、
前記楔状部は、前記凸部の面とこれに嵌合する前記凹部の面とが傾斜している、
ことを特徴とするメータ装置の照明構造。
【請求項５】
前記ケースは、前記目盛部に当接するリブを有する、
ことを特徴とする請求項１から４のいずれか一項に記載のメータ装置の照明構造。
【請求項６】
前記ケースは、前記目盛部に対向する面が該目盛部に対して凹状に湾曲した反射面を有する
ことを特徴とする請求項１から５のいずれか一項に記載のメータ装置の照明構造。
【請求項７】
前記連結部と前記ケースには、いずれか一方がボスを有し他方がそのボスを嵌合させる孔が形成されている
ことを特徴とする請求項１から６のいずれか一項に記載のメータ装置の照明構造。
【発明の詳細な説明】
【技術分野】
【０００１】
本発明は、車両、航空機、船舶等に搭載されるメータ装置に関するものである。
【背景技術】
【０００２】
従来のメータ装置として、立体感に富んだ見栄えを実現することが可能なメータ装置が開発されており、例えば特許文献１に記載のものが知られている。
即ち、この特許文献１には、図１２及び図１３に示すように、指針１０１と、この指針１０１の指示対象となる指標部１０２が設けられた表示板１０３と、この表示板１０３の前方に配置され指針１０１の作動範囲を取り巻く用に設けた遮光性の筒状部材１０４とを備え、表示板１０３の前方に光源１０５からの光を受けて発光する複数の透光体１０６を立体構造物として設けたメータ装置１００が開示されている。
【０００３】
このような構成のメータ装置１００によれば、筒状部材１０４の収容部１０４Ａ（図１４参照）に、透光体１０６の連結部１０６Ａを収容することにより、光源１０５の点灯時に、透光体１０６を立体照明できる。つまり、立体造形物であり、メータの目盛として機能する複数の透光体１０６を、表示板１０３上に配置するだけでなく、筒状部材１０４の収容部１０４Ａから突出させたことにより、透光体１０６の立体造形を際だたせることができ、立体感に富んだ見栄えのあるメータ装置１００を実現できるものである。
【０００４】
また、この特許文献１に記載のメータ装置１００にあっては、突出された目盛となる透光体１０６の上部を、見返板となる遮蔽部を構成する筒状部材１０４が覆う構造のものである。一方、目盛となる透光体１０６については、収容部１０４Ａの下部側に設置されている光源１０５からの光が、収容部１０４Ａの内部を進行して透光体１０６へ裏面側から入射し、表面側から出射することで、目盛となる透光体１０６での立体発光を行う。
【先行技術文献】
【特許文献】
【０００５】
【特許文献１】特開２００６−１２６０４８号公報
【発明の概要】
【発明が解決しようとする課題】
【０００６】
ところが、収容部１０４Ａには、導光用として、透光体１０６と同じ高さの連結部１０６Ａが収容されている。そのため、光源１０５から導光されてきた照明光が入射する連結部１０６Ａと一体の透光体１０６は、この透光体１０６の特に上部側と遮蔽部である筒状部材１０４との間の微細な隙間である開口部１０４Ｂから外部へ、高輝度で漏光する場合があり、照明構造として品質低下の印象を与える虞がある。
【０００７】
さらに、透光体１０６を囲設する部分が凹凸状態を呈している筒状部材１０４については、通常、見返板を構成するものであるが、この見返板の部分は黒色系が一般的である。そのため、その見返板の部分が影のような状態で、目盛の周囲を大きく取り囲むように形成されることとなる。その結果、見栄えやデザイン性の悪いメータ装置といった印象を与える虞がある。また、連結部１０６Ａを収容する収容部１０４Ａを筒状部材１０４に形成しようとすると、筒状部材１０４の成形時にウェルドラインが生じて、見返板としての見栄えが損なわれる虞がある。
【０００８】
本発明は、上述した事情に鑑みてなされたものであり、その目的は、照明効率が良好で高輝度な漏光が抑えられ、しかも、見栄えやデザイン性が高く高級感を付与することが可能となる、メータ装置の照明構造を提供することにある。
【課題を解決するための手段】
【０００９】
前述した目的を達成するために、本発明に係るメータ装置の照明構造は、下記（１）から（７）を特徴としている。
（１）  文字板と、
前記文字板の外周縁を囲むケースと、
前記文字板の外周の一部又は全周を囲い、前記文字板に対して表側に起立するような状態で前記ケースに組付けられる見返板と、
Ｃ字状又はリング状の形状を有するとともに前記文字板の外周縁に固定される連結部と、前記連結部の周方向における複数のそれぞれの位置から前記文字板に対して表側に起立して延びて前記文字板と前記見返板との間に位置する目盛部と、前記連結部の周方向における前記目盛部に対応するそれぞれの位置から前記文字板に対して裏側に起立して延びて前記文字板の外周縁と前記ケースとの間隙に設置される基端部と、を有するライトガイド部材と、
前記基端部の基端面に向けて照明光を入射する光源と、
を備えたこと。
（２）  上記（１）の構成のメータ装置の照明構造であって、
前記目盛部の先端、及び該目盛部の先端に当接する前記見返板には、互いに嵌合する段部が形成されている、
こと。
（３）  文字板と、
前記文字板の外周縁を囲むケースと、
前記文字板の外周の一部又は全周を囲い、前記文字板に対して起立するような状態で前記ケースに組付けられる見返板と、
前記文字板の外周縁と前記ケースとの間隙に設置される基端部と、前記文字板に対して起立するように当該基端部から前記見返板に向けて突設されるとともに前記文字板と前記見返板との間に位置する目盛部と、隣り合う当該目盛部を連結する連結部と、を有するライトガイド部材と、
前記基端部の基端面に向けて照明光を入射する光源と、
を備え、
前記目盛部の先端、及び該目盛部の先端に当接する前記見返板には、凹部で凸部を噛みこんで嵌合する鉤状部がそれぞれ形成されている、
こと。
（４）  文字板と、
前記文字板の外周縁を囲むケースと、
前記文字板の外周の一部又は全周を囲い、前記文字板に対して起立するような状態で前記ケースに組付けられる見返板と、
前記文字板の外周縁と前記ケースとの間隙に設置される基端部と、前記文字板に対して起立するように当該基端部から前記見返板に向けて突設されるとともに前記文字板と前記見返板との間に位置する目盛部と、隣り合う当該目盛部を連結する連結部と、を有するライトガイド部材と、
前記基端部の基端面に向けて照明光を入射する光源と、
を備え、
前記目盛部の先端、及び該目盛部の先端に当接する前記見返板には、凹部で凸部を密着状態に噛みこんで嵌合する楔状部がそれぞれ形成され、
前記楔状部は、前記凸部の面とこれに嵌合する前記凹部の面とが傾斜している、
こと。
（５）  上記（１）〜（４）のいずれか一つの構成メータ装置の照明構造であって、
前記ケースは、前記目盛部に当接するリブを有する、
こと。
（６）  上記（１）〜（５）のいずれか一つの構成メータ装置の照明構造であって、
前記ケースは、前記目盛部に対向する面が該目盛部に対して凹状に湾曲した反射面を有する
こと。
（７）  上記（１）〜（６）のいずれか一つの構成メータ装置の照明構造であって、
前記連結部と前記ケースには、いずれか一方がボスを有し他方がそのボスを嵌合させる孔が形成されている
こと。
【００１０】
上記（１）に記載のメータ装置の照明構造によれば、ライトガイド部材に、細幅で高背形状の目盛部のほかに、低背状態で導光性を有する連結部を備える。そのため、目盛部よりも低い目盛部間の低背状態を有する連結部の内部を導光される光源からの照明光が仮に外部に漏光したとしても、漏光現象の発生を効果的に抑えることが可能となる。従って、シャープな漏光現象の発生を効果的に抑えることが可能となる。これにより照明効率が良好で、品質の高い照明を施すことができる。
さらに、上述のように、細幅で突出した細幅形状の目盛部において、立体的に輝く発光照明を実現できる。その結果、見栄えやデザイン性が高いだけではなく、高級感のある照明構造を付与することができる。
上記（２）に記載のメータ装置の照明構造によれば、双方の間を段部とすることで、目盛部と見返板の表面板との組付けが確実に行える。しかも、見返板内部の連結部から漏光があったとしても、そしてその漏光が切欠溝と目盛部との間の僅かな隙間から漏出そうとしても、段部で多重散乱させて光量を減衰させることが可能となる。その結果、隙間から漏れ出す照明光が発生したとしてもその輝度を可及的に低く抑えることで、照明感の質的低下が生じるのを防止できる。
上記（３）に記載のメータ装置の照明構造によれば、凹部で凸部を噛みこんで嵌合した鉤状部を有するので、上記（２）の構成と同様、漏光する照明光を鉤状部の段部で減衰させることが可能となる。
上記（４）に記載のメータ装置の照明構造によれば、上記（２）または（３）と同様、漏光する照明光を楔状部の段部で減衰させることが可能となる。
上記（５）に記載のメータ装置の照明構造によれば、リブにより目盛部の位置決めが確実になる。さらに、目盛部が文字板上に設置される姿勢を維持し易くなる。
上記（６）に記載のメータ装置の照明構造によれば、反射面で漏光する照明光を反射させて目盛部へ再入射できるので、照明効率が向上する。
上記（７）に記載のメータ装置の照明構造によれば、簡易な構造を有するので、ライトガイド部材をケースに対して簡単にかつ確実に組付けることができる。
【発明の効果】
【００１１】
本発明のメータ装置の照明構造によれば、ライトガイド部材に、細幅で高背形状の目盛部のほかに、低背状態で導光性を有する連結部を備える。そのため、目盛部よりも低い目盛部間の低背状態を有する連結部の内部を導光される光源からの照明光が仮に外部に漏光したとしても、漏光現象の発生を効果的に抑えることが可能となる。従って、漏光現象の発生を効果的に抑えることが可能となる。これにより、照明効率が良好で品質の高い照明を施すことができる。
【００１２】
また、細幅で突出した細幅形状の目盛部において、立体的に輝く発光照明を実現できる。その結果、見栄えやデザイン性が高いだけではなく、高級感のある照明構造を付与することができる。
【００１３】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１４】
【図１】図１は、本発明の第１の実施形態に係る照明構造が適用されたメータ装置を示す平面図である。
【図２】図２は、図１におけるＩＩ−ＩＩ線の矢視断面図である。
【図３】図３は、図３（Ａ）は図１のメータ装置の要部を構成する文字板、見返板、ライトガイド部材、及びケースの組み付け状態の一部を示す分解斜視図、図３（Ｂ）は図３（Ａ）におけるＩＩＩＢ部の拡大斜視図である。
【図４】図４は、本発明の第１の実施形態に係る照明構造が適用されたメータ装置の文字板とライトガイド部材の組付状態を示す要部斜視図である。
【図５】図５は、本発明の第１の実施形態に係る照明構造が適用されたメータ装置の要部の組付け状態などを示す要部斜視図である。
【図６】図６は、本発明の第１の実施形態に係る照明構造が適用されたメータ装置での照明光の進行光路を示す説明図である。
【図７】図７は、本発明の第２の実施形態に係る照明構造が適用されたメータ装置の目盛部の組付け状態を示す要部斜視図である。
【図８】図８は、本発明の第２の実施形態に係る照明構造が適用されたメータ装置における鉤状部を示す要部断面図である。
【図９】図９は、本発明の第２の実施形態に係る照明構造が適用されたメータ装置における受光部近傍での照明光の入射光路を示す説明図である。
【図１０】図１０は、図１０（Ａ）は本発明の第３の実施形態に係る照明構造が適用されたメータ装置における目盛部での組付け状態を示す要部斜視断面図、図１０（Ｂ）は楔状部を示すＸＢ部の拡大断面図である。
【図１１】図１１は、本発明の第３の実施形態に係る照明構造が適用されたメータ装置における受光部近傍での照明光の入射光路を示す説明図である。
【図１２】図１２は、従来のメータ装置の照明構造を示す平面図である。
【図１３】図１３は、図１２におけるＸＩＩＩ−ＸＩＩＩ線矢視断面図である。
【図１４】図１４は、図１２におけるＸＩＶ−ＸＩＶ線矢視断面図である。
【発明を実施するための形態】
【００１５】
以下、本発明の実施形態について、添付図面を参照しながら詳細に説明する。
【００１６】
（第１の実施形態）
図１及び図２は、本発明の照明構造が適用された第１の実施形態に係るメータ装置１Ａを示すものである。
【００１７】
このメータ装置１Ａは、自動車用のスピードメータに適用されており、図２に示すように、基板２の上に実装された後述の目盛Ｉの照明用の光源３と、この光源３が搭載された基板２表面とは反対の裏面に搭載されたムーブメント４と、文字板を構成する文字板５と、見返板６と、光源３の直上であって、かつ、文字板５と見返板６との間に略円環状に取り付けられたライトガイド部材７と、内面が反射面を構成する反射板８と、一部が後述の支持部９１として機能するケース９と、指針１０と、裏カバー１１と、トリップメータなどを構成するＬＣＤ１２およびその光源１３と、基板２上の指針軸４１近傍に搭載した指針照明用の光源１４と、を備えている。
【００１８】
本実施形態のメータ装置１は、コンビネーションメータの一部を構成しており、表面側の全周が上述の見返板６で覆われている。また、この見返板６には、メータ装置１を含む各種計器類を設置するための各種表示窓を開口させている。更に、この見返板６は、透明なカバーガラス１５で上部が覆われている。
【００１９】
目盛用の光源３には、所定の照明光に対応した所定波長（λ）の可視光（これを「照明光」とよぶ）を出射するＬＥＤが用いられている。本実施形態の光源３は、複数個のものが互いに所定間隔で放射状に設置されており、特に効率的な発光照明を行うため、後述する各目盛部７１から突出する基端部７５に対応したその直下にそれぞれ設置される。これにより、光源３からの照明光が基端部７５に向けて効果的に入射するので、ライトガイド部材７に対して効率のよい発光照明、特に効果的な立体発光照明を行うことができる。
【００２０】
光源３からの照明光は、Ｚ軸方向に沿った光軸となる中央部を最大光量とした分布状態を有しているが、Ｘ−Ｙ面方向についての光量分布には方向依存性のない、均一な出射特性のものが使用される。即ち、本実施形態の光源３では、Ｘ−Ｙ面の方向に関しては全周に亘り、略均一な光量を出射する光量分布特性を有する。なお、本実施形態の光源３としては、特にこのＬＥＤに限定されるものではないが、消費電力が少なく小型の点光源である点でこのＬＥＤが好ましい。ＬＣＤ１２用の光源１３及び指針照明用の光源１４についても、同様であってＬＥＤが使用されているが、消費電力が少なく小型の点光源である点でこのＬＥＤが好ましい。
【００２１】
ムーブメント４は、メータ装置１Ａを搭載する自動車の走行スピードに対応した速度表示を行うため、図示外の速度検出器からの信号に応じた適宜の角度だけ指針１０を回動させるものである。このムーブメント４は、図示外の適宜のモータ、例えばステッパモータ、及び図示外の必要な減速機構などが内蔵されており、指針軸４１（図２参照）を介して指針１０と一体に接続されている。
【００２２】
文字板５には、意匠、例えば、数字Ｆ、文字、記号など、車自体或いは車周辺の環境などに関する必要情報を印字しているとともに、トリップメータなどを表示するＬＣＤ１２が配置されている。本実施形態の文字板５は、透光性を有する適宜の薄板材などを用いて円盤状（又は半円盤状）に形成されているが、後述の必須領域以外は遮光処理が上面に施されている。
【００２３】
また、この文字板５では、詳細は後述するが、ライトガイド部材７の目盛部７１の矩形形状を有する裏面７１Ａ（図５参照）を支承する部位（領域α）を有する。この部位は、ガイド用の光源３からの照明光が透過可能な透明部を構成する。特に、本実施形態の文字板５では、意匠として数字Ｆを印字した領域と、前述の目盛部７１の裏面７１Ａが支承される領域α（図３及び図５にてハッチングにて示されるエリア。これが透光部分に対応する)とを除いた残りの領域β（これが不透光部分に対応する）に全て遮光性膜などが塗布されている。
【００２４】
その結果、文字板５において、透光性の数字Ｆが印字された領域には、主に、指針照明用の光源１４からの照明光が入射する。一方、文字板５の、目盛部７１が搭載されている先述の領域α（以下、矩形領域とよぶ）には、目盛照明用の光源３からの照明光が、入射して効率よく透過する。
【００２５】
また、この文字板５は、表面側の外縁部に沿って所要間隔ごとに、ライトガイド部材７の目盛部７１の裏面７１Ａを支承し、支持する。特にこの支持の際には、これら双方を正確に位置決めして固定させるため、文字板５、ライトガイド部材７及びケース９の間に基部嵌合手段２０を設ける。
【００２６】
この基部嵌合手段２０は、目盛部７１の裏面７１Ａと文字板５の表面との間の位置決めを行い、双方をずれることなくしっかりと固定させるためのもである。本実施形態の基部嵌合手段２０は、図３及び図４に示すように、ライトガイド部材７の連結部７０を貫通した孔７Ａが複数個所に穿設されるとともに、ケース９の表面には略円柱状のボス９６を有する。また、文字板５における孔７Ａ及びボス９６に面する箇所には、該文字板５外縁を切り欠く切欠き５１が形成されている。そして、このボス９６を切欠き５１を挿通させて連結部７０の孔７Ａに嵌合させ、位置決め及び固定を行う。このようにして、ケース９によってライトガイド部材７が位置決めされ、ライトガイド部材７がケース９に支持される。
【００２７】
尚、ここでは、ケース９に形成されたボス９６が切欠き５１を通過し、連結部７０の孔７Ａに嵌合される構造とした。しかし、この構造に限られるものではない。例えば、ライトガイド部材７が文字板５に支持される場合には、文字板５にボスを形成しておき、そのボスが連結部７０の孔７Ａ及び文字板５の孔に嵌合される構造としてもよい。この構造の場合、文字板５に形成されたボスによって、ライトガイド部材７を該文字板５に位置決めすることによって、該ケース９に固定された文字板５に固定することができる。
【００２８】
見返板６は、図３に示すように、見返板６をケース９に組付けた際にケース９寄りに位置する基端側が、厚さ方向に沿って表面板６Ａと裏面板６Ｂとに分岐されて断面逆Ｙ字型または断面逆Ｖ字形を有している。表面板６Ａと裏面板６Ｂの間には、内部空間が形成されている。表面板６Ａと裏面板６Ｂとの間の内部空間には、後述するライトガイド部材７の連結部７０が収容される。また、この見返板６の表面板６Ａには、ライトガイド部材７の後述する目盛部７１との間に、詳細は後述するが先端部嵌合手段３０を設けており、双方の間での確実な結合を行うのと同時に、双方の間での正確な位置決めを行う。
【００２９】
ライトガイド部材７は、図３に示すように、文字板５の外周の一部又は全周に沿ってこれを囲設するような状態で、見返板６の内部空間に設置された、低背形状、つまり厚さＬの薄肉形状を有する連結部７０と、この連結部７０によって一体に連結された複数個の目盛部７１と、この目盛部７１から基端（−Ｚ）方向に突出し、文字板５の外周縁とケース９との間隙に設置される基端部７５と、を備えている。また、連結部７０、目盛部７１、及び基端部７５は、導光性を有する適宜材料で形成されている。
【００３０】
連結部７０は、全体略Ｃ字状（又はリング状）に形成されており、文字板５と表面板６Ａとの間に位置する状態で位置決めされるとともに、文字板５上に固定される。一方、目盛部７１は、細横幅で高さＨ（但し、Ｈ＞Ｌ）の高背形状を有している。この目盛部７１は、表面板６Ａに向けて起立している。目盛部７１は、後述する切欠溝６１Ａに嵌めこまれた状態においては、一部が切欠溝６１Ａから露出しており、その露出する部分は、特に視認者に向けて対面するような所定角度に傾斜している。
【００３１】
なお、目盛部７１と目盛部７１とをつなぐ連結部７０は、低背形状であるので、その連結部７０では、表面積を低背の分だけ削減できる。従って、その表面積を抑えた分だけそこからの漏光量も削減可能となり、限られた光量の照明光に対して照明効率の向上も図ることができる。
【００３２】
目盛部７１は、上述のように、文字板５と表面板６Ａから突出する形状である。目盛部７１は、このような構成により、立体発光照明を行うことができるようになっており、視認者に対して鮮明でかつ高級感のある照明意匠を与える。
【００３３】
さらに、この目盛部７１は、基端部７５（図５及び図６参照）が光源３へ向けて突出している。基端部７５の基端面７２が、ガイド用の光源３からの照明光を受光させる受光部となる。基端面７２は、指針１０のある中心側に向かう内周の方が、光源３へ向かう突出量が少ない、断面テーパ状に形成される。このような形状を呈する基端面７２によれば、斜面とすることで受光部としての表面積を拡大させることができる。
【００３４】
即ち、光源３の光軸(Ｚ軸に平行)に沿った主要な照明光は、図６に示すように、基端面７２でスネルの法則に従って屈折後、目盛部７１の形状に略倣った主光路方向に誘導されて、内部導光することができる。その結果、照明効率の向上を効果的に図ることができる。しかも、前述したように、光源３からの照明光が、目盛部７１が搭載されている文字板５の矩形領域αからも透過し、目盛部７１へ効果的に入射する。そのため、照明効果、特に立体照明効果を大幅にアップさせる。
【００３５】
また、ライトガイド部材７の目盛部７１の先端と見返板６の表面板６Ａの縁には、図３及び図５に示すように、凹部及び凸部からなる段部をそれぞれ有する先端部嵌合手段３０を備える。
【００３６】
この先端部嵌合手段３０は、文字板５と表面板６Ａによるライトガイド部材７の支持の際に、表面板６Ａに対して目盛部７１を正確に位置決めして固定させるものである。本実施形態の先端部嵌合手段３０は、見返板６の表面板６Ａの縁に設けた段部６２のうち凸部が、ライトガイド部材７の目盛部７１の先端に設けた段部のうち凹部７３に嵌合する。
【００３７】
即ち、見返板６の方には、表面板６Ａに一定間隔で形成した切欠溝６１Ａの上縁部に段部６２を設ける一方、目盛部７１の方には先端に段部を設けた。このような段部が嵌合することにより、表面板６Ａの切欠溝６１Ａと目盛部７１との間を漏光のない状態に保持している。
【００３８】
この先端部嵌合手段３０では、見返板６の表面板６Ａとライトガイド部材７との双方に、凹凸からなる段部を設けてある。従って、長時間の使用の後に双方の間にかりに微細な隙間が発生したとしても、その隙間である先端部嵌合手段３０の凹凸部分では、照明光が多重散乱させることができる。そのため、光源３からの照明光は、殆どが目盛部７１から外部へ出射される一方、表面板６Ａの切欠溝６１Ａと目盛部７１との間の隙間から外部へ高輝度状態で漏光するのを効果的に抑止できる。
【００３９】
反射板８は、指針軸４１を外側から囲設するような状態で基板２の上面（図２では左方）に設置されている。反射板８の裏面（図２では下面）には、基板２を介しケース９が反射板８を取り囲むような状態で設置されており、そのケース９の開口部分を裏カバー１１が覆う。
【００４０】
ケース９は、その一部に、ライトガイド部材７の支持手段として機能する支持部９１を有している。この支持部９１は、先端部分で見返板６の裏面板６Ｂを支持するものである。特に、この支持部９１には、図５に示すように、ライトガイド部材７の目盛部７１の裏面、つまり背面に突き当たるリブ９２を備えている。このリブ９２は、図６に示すように、先端である上端部分の内周面が目盛部７１の外面である背面に接触し、該目盛部７１を支持している。これにより、目盛部７１の外部と対面している表面７１Ｃを、文字板５の表面に対して所定の傾斜角度θ傾斜させた状態が維持される。また、ケース９は、図４に示すように、その一部が反射板８に連設されている。そして、その連設されている箇所の表面に、略円柱状のボス９６が形成されている。
【００４１】
次に、本実施形態の作用について、主に図２を参照しながら説明する。なお、ここでのメータ装置１Ａの説明は、各計器類のうち速度計を例に挙げてその作用を説明するが、特にこれに限定されるものではない。また、この作用については、他のアナログタイプのメータ装置の場合でも同様である。
【００４２】
メータ装置１Ａのムーブメント４の内部に設けたモータが、図示しない速度センサによって検出された現在速度に対応するセンサ信号に基づいて回転駆動する。そして、これに一体に接続されている指針１０が回動し、文字板５の数字Ｆや文字板５と表面板６Ａとの間に突出した目盛Ｉを指示する。
【００４３】
即ち、センサ信号に基づき、モータ側の出力軸及びこれと一体の指針軸４１が所定の角速度で回転を始め、指針軸４１を取り付けた指針１０が所定角度だけ回動される。そして、指針１０の先で文字板５上に印字された特定の数字Ｆや、文字板５と表面板６Ａとの間から外部である表面に突出する細幅形状の目盛部７１を指し示す。これによって、現在速度を運転者などにアナログ表示させて知らせることができる。
【００４４】
このような速度表示を行うメータ装置１Ａにあっては、特に夜間などの場合、ヘッドライトなどの点灯動作と同時に光源３も発光動作する。そして、光源３からは、図５に示す目盛部７１の受光部である基端面７２、及び文字板５の矩形状の透明部分である矩形領域αに向けて出射する。この場合、光源３から出射の照明光は、光軸（Ｚ）を最大光量とする光量分布である。
【００４５】
従って、光軸に沿って基端面７２及び文字板５の矩形領域αの近傍に入射した大部分の照明光は、主光路に沿い、図６に示すようにその大部分が、目盛部７１内部を透過した後、目盛部７１から外部に向けて出射する。即ち、この照明光は、文字板５と表面板６Ａの表面から立体的に突出した目盛部７１の、特に、先端面７１Ｂ（図８参照）や表面７１Ｃから立体的に発光照明する。
【００４６】
次に、本実施形態の照明光について、図６に示す光路図などを参照しながら、さらに詳細に説明する。
図２に示す基板２上の各目盛部７１直下に搭載された光源３からの照明光は、光軸(Ｚ軸に平行)に沿った方向、つまり目盛部７１のある直上方向に沿って光量分布が最大となる。従って、光源３から出射し、光軸（Ｚ）方向に沿って進行する照明光は、反射板８と支持部９１との間の空間領域を進行する。そして、文字板５の目盛部７１が搭載されている矩形領域αに対応する領域及びライトガイド部材７の受光部である基端面７２に入射する。
【００４７】
このうち、文字板５の裏面において矩形領域αに対応する所定領域から入射した主光路（以下、これを照明光δとよぶ）を進行する照明光は、その大部分が透光性を有する文字板５内部をそのまま上方へ進行する。そして、文字板５の矩形領域αを透過した照明光δは、出射直後に、目盛部７１の矩形形状を有する裏面７１Ａからその内部へ入射する。そして、目盛部７１内での照明光δは、専ら文字板５の半径方向の外側に向けて進行していく。つまり、視認者がこれを見ると、照明光δが細幅形状の目盛部７１から表面板６Ａの半径外側方向へ向けて輪状に広がっていくように、立体的に輝く光照明を生成させることができる。
【００４８】
一方、目盛部７１の受光部である基端面７２に入射した主光路を進行する照明光（これを照明光γとよぶ）は、スネルの法則に従い、基端面７２で目盛部７１の傾斜する方向へ屈折する。その後、目盛部７１の形状に倣った長手方向に誘導されながら、内部を案内されていく。これにより、基端面７２に入射する照明光γについても、目盛部７１の表面７１Ｃから出射後は、専ら文字板５の半径方向の外側に向けて進行していく。つまり、視認者がこれを見ると、照明光γが照明光δと同様、細幅形状の目盛部７１から表面板６Ａのある方向へ、輪状に広がっていくような印象をもたらす。
【００４９】
以上説明したように、本実施形態によれば、表面板６Ａと裏面板６Ｂの間に有する内部空間の内部に、従来のような目盛部７１と同等高さを有する高背構造の連結部を必要としない。換言すれば、目盛部７１どうしをつなぐ連結部７０は目盛部７１よりも低背構造で済む。そのため、従来の高背構造の連結部のように、連結部とほぼ同じ高さの目盛部に接する開口部の隙間から連結部を介して多くの照明光が漏光するといった現象を抑え、目立たないようにできる。また、ライトガイド部材７の連結部７０を構成する部分が低背構造で済む分、ライトガイド部材７製造の際の材料を節約でき、コストも削減できる。しかも、目盛部７１間の低背状態の連結部７０の表面積も、低背の分だけ削減することが容易に可能となるので、そこからの漏光量も削減可能となり、照明効率もアップする。
【００５０】
また、本実施形態の照明構造を有するメータ装置１Ａによれば、照明効率の大幅な向上を図ることができ、特に立体照明効果を大幅にアップさせることができるようになる。別言すれば、目盛部７１が立体的に輝く発光照明を実現できる。これにより、見栄えやデザイン性が高いだけではなく、高級感のある照明構造を付与できる。
【００５１】
さらに、本実施形態によれば、基部嵌合手段２０及び先端部嵌合手段３０により、文字板５、見返板６、ライトガイド部材７、及びケース９の４体を、互いに高精度で、しかも常時安定した状態に固定保持できる。その結果、特に、自動車などのような振動が長期間にわたって作用することが予想される乗り物に設置することなどを考慮すると、その効果が大きく期待される。
【００５２】
さらに、本実施形態によれば、ライトガイド部材７の連結部７０はケース９に支持されるため、従来のようにライトガイド部材の連結部を収容し位置決めする収容壁を見返板に別途設ける必要がない。このため、見返板の成形時にこの収容壁の形成に伴うウェルドラインが生じることがなく、したがって、見返板の見栄えを向上させることができる。
【００５３】
（第２の実施形態）
次に、本発明に係る照明構造が適用された第２の実施形態に係るメータ装置１Ｂについて、図面を参照しながら詳細に説明する。なお、本実施形態において、第１の実施形態と同一部分には同一符号を付して重複説明を避ける。
【００５４】
図７から図９は、本発明の第２の実施形態に係るメータ装置１Ｂの要部を示すものであり、このメータ装置１Ｂが第１の実施形態のメータ装置１Ａと異なる主な点は、次の点である。すなわち、見返板６の表面板６Ａとライトガイド部材７の目盛部７１との組付け手段として先端部嵌合手段３０とは異なる先端部嵌合手段を有していることと、支持部９１に湾曲した反射面９３を有することである。
【００５５】
さらに、本実施形態では、目盛部７１の受光部となる基端面７２を有する突出した基端部７５が、文字板５と支持部９１との間の、クリアランスを設けた状態にある隙間に挿入配置される。即ち、この実施形態では、図９に示すように、特にこれら３体の部品加工精度のばらつきなどによる組付け誤差を解消させるため、文字板５と基端部７５の間にある程度の遊び(クリアランス)ｄ１を有する。同じく、支持部９１と基端部７５との間にも遊びｄ２を有する。
【００５６】
先端部嵌合手段である鉤状部４０は、図８に示すように、ライトガイド部材７の目盛部７１の先端と、表面板６Ａに切り欠いた切欠溝６１Ａの縁とに設けられている。この鉤状部４０は、先端部嵌合手段３０と同様に、精度の良好な組付けができるとともに常時安定した固定状態を保持できる。
【００５７】
このように、本実施形態の鉤状部４０は、互いに嵌合する凹部６３Ａ、７４Ａ及び凸部６３，７４をそれぞれ設け、互いに凹部６３Ａ、７４Ａで凸部６３，７４を噛み込んで嵌合させる。
【００５８】
次に、反射面９３は、図９に示すように、リブ９２から延びた、目盛部７１の背面７１Ｄ（以下、外周面とよぶ）と対面する支持部９１の表面９２Ａ側に、目盛部７１の外周面７１Ｄから漏れる照明光εを反射して再び目盛部７１へ戻すものである。このため、反射面９３となる、支持部９１に設けたリブ９２の表面９２Ａ、つまり内周面には、適宜の反射膜あるいは鏡面加工処理が施されている。さらに、反射面９３は、目盛部７１に対して凹状に湾曲した曲面で形成されている。反射面９３が曲面で形成されることによっても、目盛部７１の外周面７１Ｄから漏れる照明光εを再び目盛部７１へ戻すことに寄与している。
【００５９】
次に、本実施形態の照明光について、図９に示す光路図を参照しながら説明する。
光源３から出射し、光軸（Ｚ）方向に沿って進行する照明光は、反射板８と支持部９１との間の空間領域を進行する。そして、目盛部７１での受光部である基端面７２とともに、文字板５裏面の、矩形領域αに対応する透光性の領域にも入射する。
【００６０】
文字板５裏面の、矩形領域αに対応する透光性領域から入射した照明光は、その多くが透光性を有する文字板５内部をそのまま上方へ進行する。そして、文字板５表面の矩形領域αを透過した照明光は、そのまま目盛部７１の裏面７１Ａから内部に入射するが、その多くが表面７１Ｃにおいて外界との界面で屈折して外部へ透過していく。また、その一部はフレネル反射を起こして目盛部７１の内部へ戻るものもある。
【００６１】
その結果、目盛部７１内部を進行後、その外周面７１Ｄで屈折して外部、つまり目盛部７１と支持部９１のリブ９２との間の空間へ漏光する照明光εは、反射面９３で反射する。これにより、照明光εは、目盛部７１へ向かい外周面７１Ｄで屈折して目盛部７１へ再入射する。これにより、漏光して利用できなかった照明光εも、目盛部７１の照明光として有効利用できる。
【００６２】
以上、本実施形態によれば、鉤状部４０の凸部６３，７４により、互いに相手側の凹部６３Ａ、７４Ａへ嵌合することで、目盛部７１の組み付けの際に位置決め精度を確保できる。
【００６３】
しかも、鉤状部４０の凹凸部分が存在することで、目盛部７１と切欠溝６１Ａとの間に隙間を生じたような場合であっても、見返板６内部で漏光した光源３からの照明光の一部がその隙間から外部へ漏出するのを、鉤状部４０の凹凸部分で減衰させることもできる。
【００６４】
さらに、反射面９３が照明光を反射することで、漏光して利用されなかった照明光を、目盛部７１の照明光として有効利用できる。
【００６５】
（第３の実施形態）
次に、本発明に係る照明構造が適用された第３の実施形態に係るメータ装置１Ｃについて、図面を参照しながら詳細に説明する。なお、本実施形態において、第１、第２の実施形態と同一部分には同一符号を付して重複説明を避ける。
【００６６】
図１０及び図１１は、本発明の照明構造が適用された、第３の実施形態に係るメータ装置１Ｃを示すものであり、このメータ装置１Ｃが第２の実施形態のメータ装置１Ｂと異なる点は、見返板６の表面板６Ａと目盛部７１との先端部嵌合手段として、鉤状部４０とは異なる楔状を有するもの（以下、楔状部５０とよぶ）を用いたことである。
【００６７】
即ち、本実施形態の楔状部５０は、表面板６Ａの切欠溝６１Ａと目盛部７１の先端に設けられている。切欠溝６１Ａの凸部６４は、目盛部７１の表面７１Ｃから背面７１Ｄにかけて傾斜した斜面を有する。これにより、凸部６４の先端面は、指針１０のある文字板５中心方向に向かう。一方、凸部６４に嵌合する目盛部７１の凹部７６は、凸部６４の斜面に接触するため、凸部６４の斜面とは反対向きに傾斜した斜面を有する。
【００６８】
このような構成にすることで、例えば図１０（Ｂ）におけるＳ方向からの外光が入射してきたとしても、その外光に起因した切欠溝６１Ａの凸部６４の不要な影が視認者からは目視され難い構造になっている。
【００６９】
さらに、本実施形態では、図１１に示すように、目盛部７１の外周面７１Ｄは、支持部９１の内周面９４，９５に沿った形状である。このため、目盛部７１の外周面７１Ｄは、支持部９１の内周面９４，９５に密着する。この結果、目盛部７１の外周面７１Ｄから漏光する照明光ζを反射させ再入射させることができる。このため、目盛部７１の外周面からの漏光を回避でき、照明効率を高めることができる。
【００７０】
以上、本実施形態によれば、図１１に示すような各光路を辿って各照明光がライトガイド部材７の目盛部７１に入射すると、支持部９１の内周面９５及びリブ９２の内周面９４でそれぞれ反射して目盛部７１に再入射できる。これにより、反射面となる専用の反射膜を態々積極的に塗布させなくても、照明光の漏光を防止できるので、コストの削減が図れる。
【００７１】
さらに、本実施形態によれば、楔状部５０を有するので、第２の実施形態の場合と同様、目盛部７１と表面板６Ａの切欠溝６１Ａとの間にわずかな隙間が形成された場合でも、楔状部分で散乱させることができる。つまり、その隙間か照明光が外部へ漏光するのを防止できる。その結果、照明効果に質的低下がもたらされるのを防止できる。
【００７２】
なお、本発明は、上述した実施形態に何ら限定されるものではなく、その要旨を逸脱しない範囲において種々の形態で実施し得るものである。例えば、上記した各実施形態では、光源として、目盛部、指針、文字板での数字などの意匠部分をそれぞれ別個の専用光源で照明させているが、単一のもの、又は単一種類のものを複数個設置して供用させてもよい。また、上記各実施形態では、支持部９１をケース９に一体に設けたが、ケース９とは別個独立した別体のものとして設けてもよい。
【００７３】
また、本発明の照明構造が適用されたメータ装置としては、例えば本実施形態のスピードメータ部の他に、例えば、タコメータ部、燃料計部、及び水温計等の各種計器類への適用が可能である。特に、本発明の照明構造が適用されたメータ装置では、光源からの限られた光量の照明光を効率的に利用して、漏れの少ない高品質の立体照明を実現させることが可能となるばかりか、組付付けの際の作業性の向上や組み付け精度の向上なども同時に図ることができるので、便宜である。
【符号の説明】
【００７４】
１Ａ、１Ｂ、１Ｃ  メータ装置
２  基板
２０  基部嵌合手段
３  光源
３０  先端部嵌合手段
４  ムーブメント
４０  鉤状部
４１  指針軸
５  文字板
５０  楔状部
５１  切欠き
６  見返板
６Ａ  表面板
６Ｂ  裏面板
６１  内周面
６１Ａ  切欠溝
６２、６３、６４  凸部
６３Ａ  凹部
７  ライトガイド部材
７Ａ  孔
７０  連結部
７１  目盛部
７１Ａ  裏面
７１Ｂ  先端面
７１Ｃ  表面
７１Ｄ  背面（外周面）
７２  基端面
７３、７４Ａ、７６  凹部
７４  凸部
７５  基端部
８  反射板
９  ケース
９１  支持部
９２  リブ
９２Ａ  表面
９３  湾曲した反射面
９４，９５  内周面
９６  ボス
１０  指針
１１  裏カバー
１２  ＬＣＤ（トリップメータ）
１３  ＬＣＤ用光源
１４  指針照明用の光源
１５  カバーガラス
ｄ１  遊び(クリアランス) 
ｄ２  遊び
Ｆ  数字（意匠）
Ｉ  目盛
θ  傾斜角度
α  領域（透光部分；矩形領域）
β  領域（不透光部分）
γ  主光路（照明光）
δ  照明光
ε  照明光
ζ  照明光
【図１】
0006023463.tif 000002
【図２】
0006023463.tif 000003
【図３】
0006023463.tif 000004
【図４】
0006023463.tif 000005
【図５】
0006023463.tif 000006
【図６】
0006023463.tif 000007
【図７】
0006023463.tif 000008
【図８】
0006023463.tif 000009
【図９】
0006023463.tif 000010
【図１０】
0006023463.tif 000011
【図１１】
0006023463.tif 000012
【図１２】
0006023463.tif 000013
【図１３】
0006023463.tif 000014
【図１４】
0006023463.tif 000015